(57)【要約】【課題】単純な形状で加工性が優れ、被梱包物の保護機能も向上させる緩衝材を提供するものである。【解決手段】トレイ状に形成され被梱包物７の側面より被梱包物７を包み込み支持する緩衝材であって、トレイ状の底面１を形成し被梱包物７の側面と接する内面に、中央部を凸状にした湾曲部６を設け、湾曲部両端と被梱包物との間の空間を設けたことにより、前記課題である緩衝材の加工性向上と被梱包物の保護機能が向上する緩衝材である。【選択図】図１
2006168803.tif 000002
【特許請求の範囲】
【請求項１】
トレイ状に形成され被梱包物の側面より被梱包物を包み込み支持する緩衝材において、トレイ状の底面を形成し被梱包物の側面と接する内面に、中央部を凸状にした湾曲部を設けることにより、湾曲部両端と被梱包物との間の空間を設けた緩衝材。
【請求項２】
トレイ状に形成された緩衝材内面の湾曲部と湾曲部の裏面に当たる緩衝材外面に、緩衝材の中央部が凹状の湾曲部を設けた請求項１に記載の緩衝材。
【請求項３】
トレイ状に形成された緩衝材内面の湾曲部が凹凸になるように、複数の湾曲部を設けた請求項１に記載の緩衝材。
【請求項４】
トレイ状に形成された緩衝材内面に、被梱包物と空間を設ける湾曲部と被梱包物と接する平面部を互いに設けた請求項１に記載の緩衝材。
【発明の詳細な説明】
【技術分野】
【０００１】
本発明は、被梱包物を側面から支持し被梱包物の梱包に使用する緩衝材に関するものである。
【背景技術】
【０００２】
従来の緩衝材は、図７に示すようにトレイ状に形成された緩衝材ａでトレイ状の底面を形成する面ｂは、被梱包物の側面に接するように平面状に形成していた。そして、被梱包物を落下などの衝撃から保護するために緩衝材の底面を形成する面ｂの角部などに肉盗みｃの形状を盛り込んで緩衝材の形状を複雑にしていた（例えば、特許文献１参照）。
【特許文献１】特開２００３−２２１０８９号公報
【発明の開示】
【発明が解決しようとする課題】
【０００３】
しかしながら、前記従来の構成では被梱包物を保護するために緩衝材の支持面に被梱包物の弱部を避ける肉盗みを設ける必要が有り、緩衝材の形状が複雑になり加工用の金型形状も複雑で加工性が低下すると共に、肉盗みにより緩衝材の肉厚が不均一になり保管時の圧縮強度の低下が懸念された。
【０００４】
本発明は、このような従来の課題を解決するもので緩衝材の形状を単純化し、緩衝材の被梱包物保護機能と保管時の圧縮強度も向上させた緩衝材を提供することを目的とする。
【課題を解決するための手段】
【０００５】
前記従来の課題を解決するために、本発明の緩衝材は、トレイ状に形成され被梱包物の側面より被梱包物を支持する緩衝材において、トレイ状の緩衝材内面に中央部を凸状にした湾曲部を設けた緩衝材である。
【０００６】
これによって、緩衝材内面の被梱包物との接触面に被梱包物弱部を避けた肉盗みを設けた形状が不要となり緩衝材形状が単純になり肉盗みによる圧縮強度低下が阻まれる。
【０００７】
また、トレイ状に形成された緩衝材の外面にも凹状の湾曲部を設けたものである。
【０００８】
これによって、緩衝材の肉厚が均一になり成形性が良くなると共に、緩衝材外面に湾曲部を設けることで弾性による緩衝性を向上させる。さらに、緩衝材側面を湾曲状にすることで圧縮強度も向上する。
【０００９】
また、トレイ状に形成された緩衝材の内面に複数の凹凸を形成する湾曲部を設けたものである。
【００１０】
これによって、被梱包物への衝撃を分散し弱部の支持を変化させ被梱包物の保護機能を向上させる。
【００１１】
また、トレイ状に形成された緩衝材内面に、被梱包物と空間を設ける湾曲部と被梱包物と接する平面部を互いに設けたものである。
【００１２】
これによって、被梱包物の弱部を避けた緩衝材支持が可能となり被梱包物の保護機能が向上する。
【発明の効果】
【００１３】
本発明の緩衝材は、単純な形状で加工性に優れ被梱包物の形状に関係なく保護機能を向上させると共に、保管時の強度向上が図れる。
【発明を実施するための最良の形態】
【００１４】
第1の発明は、トレイ状に形成され被梱包物の側面より被梱包物を包み込み支持する緩衝材において、トレイ状の底面を形成し被梱包物の側面と接する内面に、中央部を凸状にした湾曲部を設けることで湾曲部両端と被梱包物との間の空間を設けたことにより、緩衝材内面の被梱包物両端に緩衝材との空間が設けられ角方向など外力からの衝撃に対し被梱包物への衝撃が緩衝され保護機能が向上すると共に、緩衝材の形状が単純になり緩衝材加工時の金型作成などの効率が向上し肉盗みなどによる圧縮強度の低下も防止でき保管時の強度も向上する。
【００１５】
第２の発明は、トレイ状に形成された緩衝材内面の湾曲部と湾曲部の裏面に当たる緩衝材外面に、緩衝材中央部が凹状になる湾曲部を設けたことにより、緩衝材の弾性が向上し緩衝材の緩衝機能が向上すると共に、緩衝材成型時の成形性が良くなる。さらに、緩衝材外面が湾曲状になり圧縮強度に対する強度が向上し保管時の品質も向上する。
【００１６】
第３の発明は、トレイ状に形成された緩衝材内面の湾曲部が凹凸になるように、複数の湾曲部を設けたことにより、被梱包物への衝撃を分散し被梱包物全体への衝撃を緩和させる。そして、被梱包物の弱部への衝撃を避けることも可能となり保護機能を向上させる。
【００１７】
第４の発明は、トレイ状に形成された緩衝材内面に、被梱包物と空間を設ける湾曲部と被梱包物と接する平面部を互いに設けたことにより、被梱包物の弱部を避け被梱包物の剛性の高い位置を集中的に支持することが可能となり被梱包物の保護機能が向上する。
【００１８】
以下本発明の実施の形態について図面を参照しながら説明する。なお、この実施の形態によって本発明が限定されるものではない。
【００１９】
（実施の形態１）
図１は、本発明の第１の実施の形態における緩衝材の斜視図、図２は、本発明の第１の実施の形態における緩衝材の要部断面図を示すものである。
【００２０】
図１において、底面１の四方から立ち上がる側面２、３、４、５によりトレイ状に形成された緩衝材を設け、底面１には図２に詳細に示す様に中央部を緩衝材内側に飛び出す様な凸状の湾曲部６が形成されており被梱包物７との間に空間部８、９を設ける。
【００２１】
以上のように、本実施の形態においては緩衝材の被梱包物両端を支持する面に湾曲部を設け部分的に空間部が設けられることにより、角方向など外力からの衝撃に対する被梱包物への衝撃が緩衝され保護機能が向上すると共に、緩衝材の形状が単純になり加工が容易になる。さらに、緩衝材の肉盗みなどが廃止されるため緩衝材の圧縮強度も向上する。
【００２２】
（実施の形態２）
図３は、本発明の第２の実施の形態における緩衝材の要部断面図を示すものである。
【００２３】
トレイ状の緩衝材の底面に設けられた湾曲部６と同様に、緩衝材外面にも湾曲部１０を形成する。
【００２４】
以上のように、本実施の形態においては緩衝材外面に湾曲部を設けることにより、緩衝材の弾性が向上し緩衝性が向上すると共に、緩衝材の底面が湾曲状の形状になり圧縮強度
も向上する。
【００２５】
（実施の形態３）
図４は、本発明の第３の実施の形態における緩衝材の要部断面図を示すものである。
トレイ状の緩衝材の底面１に設けられた湾曲部を複数の凸部を持つように、複数の湾曲部１１を緩衝材内面に形成する。
【００２６】
以上のように、本実施の形態においては緩衝材内面の湾曲部を複数の湾曲部にすることにより、被梱包物への衝撃を分散し被梱包物全体への衝撃を緩和させ、被梱包物の弱部への衝撃を避けることも可能となる。
【００２７】
（実施の形態４）
図５は、本発明の第４の実施の形態における緩衝材の斜視図、図６は、本発明の第４の実施の形態における緩衝材の要部断面図を示すものである。
【００２８】
トレイ状の緩衝材の底面１に設けた湾曲部６の一部に被梱包物７と接する形状に形成した平面部１２を設け、被梱包物７を湾曲部６と平面部１２で支持する。
【００２９】
以上のように、本実施の形態においては湾曲部と平面部で被梱包物を支持することにより、被梱包物の弱部をさけた緩衝材支持が可能となり被梱包物の保護機能が向上する。
【産業上の利用可能性】
【００３０】
以上のように、本発明にかかる緩衝材は、緩衝材内面に湾曲部を設けることで単純な形状で被梱包物の保護機能を向上させることが可能であり、平板状の緩衝材や梱包装置にも利用可能であり被梱包物自体の筐体にも応用できる。
【図面の簡単な説明】
【００３１】
【図１】本発明の第１の実施の形態における緩衝材の斜視図
【図２】本発明の第１の実施の形態における緩衝材の要部断面図
【図３】本発明の第２の実施の形態における緩衝材の要部断面図
【図４】本発明の第３の実施の形態における緩衝材の要部断面図
【図５】本発明の第４の実施の形態における緩衝材の斜視図
【図６】本発明の第４の実施の形態における緩衝材の要部断面図
【図７】従来の緩衝材の斜視図
【符号の説明】
【００３２】
１  底面
２、３、４、５  側面
６  緩衝材内面の湾曲部
７  被梱包物
８、９  空間
１０  緩衝材外面の湾曲部
１１  凹凸状の複数の湾曲部
１２  平面部
【図１】
2006168803.tif 000003
【図２】
2006168803.tif 000004
【図３】
2006168803.tif 000005
【図４】
2006168803.tif 000006
【図５】
2006168803.tif 000007
【図６】
2006168803.tif 000008
【図７】
2006168803.tif 000009